【手続補正書】
【提出日】令和3年5月6日(2021.5.6)
【手続補正１】
【補正対象書類名】特許請求の範囲
【補正対象項目名】全文
【補正方法】変更
【補正の内容】
【特許請求の範囲】
【請求項１】
プロセッサ及びメモリを備えるワイヤレス通信デバイスであって、前記ワイヤレス通信デバイスの前記メモリに格納されたコンピュータ実行可能命令をさらに含み、前記コンピュータ実行可能命令は、前記ワイヤレス通信デバイスの前記プロセッサによって実行されると、前記ワイヤレス通信デバイスに、
間欠受信（Discontinuous  Reception：ＤＲＸ）サイクルに基づいて、前記ワイヤレス通信デバイスの電力節約機能を制御することであって、前記ＤＲＸサイクルは、オン期間およびオフ期間を備える、ことと、
ネットワークノードから、ウェイクアップ信号タイミングオフセットを含むパラメータを示す情報を受信することであって、前記ウェイクアップ信号タイミングオフセットは、前記ＤＲＸサイクルの前記オン期間の前にウェイクアップ信号を通信するためのタイムオフセットを示す、ことと、
前記ネットワークノードからウェイクアップ信号を受信するための前記ウェイクアップ信号タイミングオフセットに従って、ウェイクアップ信号送信チャネルを監視することと
を行わせる、ワイヤレス通信デバイス。
【請求項２】
前記ワイヤレス通信デバイスの前記メモリに格納されたコンピュータ実行可能命令をさらに含み、前記コンピュータ実行可能命令は、前記ワイヤレス通信デバイスの前記プロセッサによって実行されると、前記ワイヤレス通信デバイスに、
前記ウェイクアップ信号送信チャネル上で前記ウェイクアップ信号を検出することと、
前記ウェイクアップ信号がウェイクアップ状態を示すか、又は非ウェイクアップ状態を示すかを判定することと、
前記ウェイクアップ信号によって示される前記ウェイクアップ状態を検出することに基づいて、前記ＤＲＸサイクルの次のオン期間で、物理ダウンリンク制御チャネル（Physical  Downlink  Control  Channel：ＰＤＣＣＨ）を監視することと
を行わせる、請求項１に記載のワイヤレス通信デバイス。
【請求項３】
前記ワイヤレス通信デバイスの前記メモリに格納されたコンピュータ実行可能命令をさらに含み、前記コンピュータ実行可能命令は、前記ワイヤレス通信デバイスの前記プロセッサによって実行されると、前記ワイヤレス通信デバイスに、
前記ウェイクアップ信号送信チャネル上で前記ウェイクアップ信号を検出することと、
前記ウェイクアップ信号がウェイクアップ状態を示すか、又は非ウェイクアップ状態を示すかを判定することと、
前記ウェイクアップ信号によって示される前記非ウェイクアップ状態を検出することに基づいて、前記ＤＲＸサイクルの次のオン期間で、物理ダウンリンク制御チャネル（Physical  Downlink  Control  Channel：ＰＤＣＣＨ）の監視をスキップすることと
を行わせる、請求項１に記載のワイヤレス通信デバイス。
【請求項４】
前記パラメータは、強制ウェイクアップ状態に関連する基準をさらに備える、請求項１に記載のワイヤレス通信デバイス。
【請求項５】
前記ワイヤレス通信デバイスの前記メモリに格納されたコンピュータ実行可能命令をさらに含み、前記コンピュータ実行可能命令は、前記ワイヤレス通信デバイスの前記プロセッサによって実行されると、前記ワイヤレス通信デバイスに、
前記ウェイクアップ信号送信チャネル上でウェイクアップなし信号を検出することに基づいて、強制ウェイクアップ状態に関連する基準をチェックすること
を行わせる、請求項４に記載のワイヤレス通信デバイス。
【請求項６】
前記ワイヤレス通信デバイスの前記メモリに格納されたコンピュータ実行可能命令をさらに含み、前記コンピュータ実行可能命令は、前記ワイヤレス通信デバイスの前記プロセッサによって実行されると、前記ワイヤレス通信デバイスに、
強制ウェイクアップ状態に関連する前記基準がウェイクアップ状態を示すことを検出することに基づいて、前記ＤＲＸサイクルの次のオン期間で、物理ダウンリンク制御チャネル（Physical  Downlink  Control  Channel：ＰＤＣＣＨ）を監視すること
を行わせる、請求項５に記載のワイヤレス通信デバイス。
【請求項７】
前記ワイヤレス通信デバイスの前記メモリに格納されたコンピュータ実行可能命令をさらに含み、前記コンピュータ実行可能命令は、前記ワイヤレス通信デバイスの前記プロセッサによって実行されると、前記ワイヤレス通信デバイスに、
強制ウェイクアップ状態に関連する前記基準が非ウェイクアップ状態を示すことを検出することに基づいて、前記ＤＲＸサイクルの次のオン期間で、物理ダウンリンク制御チャネル（Physical  Downlink  Control  Channel：ＰＤＣＣＨ）の監視をスキップすること
を行わせる、請求項５に記載のワイヤレス通信デバイス。
【請求項８】
前記パラメータは、複数のワイヤレス通信デバイスに関連するグループ識別子をさらに備える、請求項１に記載のワイヤレス通信デバイス。
【請求項９】
前記ウェイクアップ信号は、前記グループ識別子に関連する、請求項８に記載のワイヤレス通信デバイス。
【請求項１０】
前記グループ識別子は、順序付けられたグループ内の前記複数のワイヤレス通信デバイスの各々についてのウェイクアップ状態を識別するインデックスを備える、請求項８に記載のワイヤレス通信デバイス。
【請求項１１】
前記インデックスは、前記順序付けられたグループ内の前記複数のワイヤレス通信デバイスの各々についてのウェイクアップ状態を示すビットのビットマップを備える、請求項１０に記載のワイヤレス通信デバイス。
【請求項１２】
前記パラメータは、前記ウェイクアップ信号に関連するグループ無線ネットワーク一時識別子(Radio  Network  Temporary  Identifier：ＲＮＴＩ)をさらに備える、請求項１に記載のワイヤレス通信デバイス。
【請求項１３】
前記グループＲＮＴＩは、周波数偏移変調(Frequency-Shift  Keying;  ＦＳＫ)オン及びオフ周波数によって示される、請求項１２に記載のワイヤレス通信デバイス。
【請求項１４】
前記ウェイクアップ信号は、前記ワイヤレス通信デバイスに固有の識別情報を含む、請求項１に記載のワイヤレス通信デバイス。
【請求項１５】
前記ワイヤレス通信デバイスの前記メモリに格納されたコンピュータ実行可能命令をさらに含み、前記コンピュータ実行可能命令は、前記ワイヤレス通信デバイスの前記プロセッサによって実行されると、前記ワイヤレス通信デバイスに、
無線リソース制御（Radio  Resource  Control：ＲＲＣ）メッセージを使用して、ユーザ機器（User  Equipment：ＵＥ）性能メッセージで、前記ネットワークノードに、ウェイクアップ信号性能を送信すること
を行わせる、請求項１に記載のワイヤレス通信デバイス。
【請求項１６】
前記ウェイクアップ信号送信チャネルは、無線リソース制御（Radio  Resource  Control：ＲＲＣ）接続モードで監視される、請求項１に記載のワイヤレス通信デバイス。
【請求項１７】
前記パラメータは、最大タイムドリフトを備える強制ウェイクアップ状態に関連する基準をさらに含む、請求項１に記載のワイヤレス通信デバイス。
【請求項１８】
前記ワイヤレス通信デバイスの前記メモリに格納されたコンピュータ実行可能命令をさらに含み、前記コンピュータ実行可能命令は、前記ワイヤレス通信デバイスの前記プロセッサによって実行されると、前記ワイヤレス通信デバイスに、
前記ウェイクアップ信号がウェイクアップ状態を示す場合に、推定タイムドリフトが前記最大タイムドリフトよりも大きい場合に前記ワイヤレス通信デバイスのタイミングを前記ネットワークノードと同期させること
を行わせる、請求項１７に記載のワイヤレス通信デバイス。
【請求項１９】
強制ウェイクアップ状態に関連する基準は、最後にウェイクアップ状態が示されてからの時間を備える、請求項１７に記載のワイヤレス通信デバイス。
【請求項２０】
プロセッサ及びメモリを備えるネットワークノードであって、前記ネットワークノードの前記メモリに格納されたコンピュータ実行可能命令をさらに含み、前記コンピュータ実行可能命令は、前記ネットワークノードの前記プロセッサによって実行されると、前記ネットワークノードに、
ワイヤレス通信デバイスに、ウェイクアップ信号タイミングオフセットを含むパラメータを示す情報を送信することであって、前記ウェイクアップ信号タイミングオフセットは、間欠受信（Discontinuous  Reception：ＤＲＸ）サイクルのオン期間の前にウェイクアップ信号を通信するためのタイムオフセットを示し、前記ＤＲＸサイクルは、電力節約機能を制御するための前記オン期間及びオフ期間を備える、ことと、
前記ウェイクアップ信号タイミングオフセットに従って、ウェイクアップ信号を、前記ワイヤレス通信デバイスに送信すること
を行わせる、ネットワークノード。